(57)【要約】【課題】  従来の被洗髪者の頭部を枕体で支持して洗髪を行うものにあっては、該枕体がシャンプーボールに固定されているため、頭部の形状における個人差を吸収できず、後頭部を枕体で支持した状態で頸部が首受け部から浮いた状態となって、その隙間から洗髪時の水が外部に流れ落ちることがあり、逆に、頸部が首受け部と密着しているが枕体が低い位置にあるため頸部を中心に後頭部が下がり過ぎて、頸部に圧迫感を与えるという問題があった。【解決手段】  被洗髪者の首後ろ部を受ける頸部支持部５１を、理美容用のシャンプーボール４における首受け部４９に回動自在に取付けられているシャンプーボールに取付けられる頭部支持装置である。【選択図】        図７
2006061519.tif 000002
【特許請求の範囲】
【請求項１】
被洗髪者の首後ろ部を受ける頸部支持部をを、理美容用のシャンプーボールにおける首受け部に回動自在に取付けられていることを特徴とするシャンプーボールに取付けられる頭部支持装置。
【請求項２】
前記頸部支持部に被洗髪者の後頭部を受ける頭部支持部が一体的に形成されていることを特徴とする請求項１記載のシャンプーボールに取付けられる頭部支持装置。
【請求項３】
前記頭部支持部は後頭部を左右２か所で支持するように一対で構成されていることを特徴とする請求項１記載のシャンプーボールに取付けられる頭部支持装置。
【請求項４】
少なくとも前記頭部支持部には後頭部を弾性的に支持するために、ジェルや発泡材等のクッション材で包含されていることを特徴とする請求項２記載のシャンプーボールに取付けられる頭部支持装置。
【発明の詳細な説明】
【技術分野】
【０００１】
本発明は、シャンプーボールに仰臥姿勢で洗髪を行う場合において、被洗髪者の頸部と頭部の２か所を支持して安楽な状態で洗髪するのに適したシャンプーボールに取付けられる頭部支持装置に関する。
【背景技術】
【０００２】
従来、理美容院において被施術者の洗髪を行う場合、椅子に座っている被施術者を仰臥姿勢にして、シャンプーボールの首受け（凹状部分）に被施術者の頸部を支持した状態で洗髪を行っていたが、頸部に痛みを与えたり、動脈を圧迫して気分が悪くなったりするといった問題があった。
【０００３】
そこで、洗髪時に被洗髪者の頸部のみならず頭部をも支持して前記した問題を解決するものとして、例えば、特開２００３−１８０４４０に開示されている発明がある。この発明は、シャンプーボール内に後頭部を支持する枕体を取付け、被洗髪者の頸部をシャンプーボールの首受けで支持し、後頭部を枕体で支持した構造のものである。
【特許文献１】特開２００３−１８０４４０
【発明の開示】
【発明が解決しようとする課題】
【０００４】
ところで、前記した公開公報の発明にあっては、被洗髪者の頸部と後頭部の２か所が支持されることから、前記した頸部に痛みを与えたり、動脈を圧迫して気分が悪くなるといった問題は解決できたが、枕体はシャンプーボールに固定されているため、頭部の形状における個人差を吸収できず、後頭部を枕体で支持した状態で頸部が首受け部から浮いた状態となって、その隙間から洗髪時の水が外部に流れ落ちることがあり、逆に、頸部が首受け部と密着しているが枕体が低い位置にあるため頸部を中心に後頭部が下がり過ぎて頸部に圧迫感を与えるという問題があった。
【０００５】
本発明は前記した問題点を解決せんとするもので、その目的とするところは、少なくとも被洗髪者の首後ろ部を支持する頸部支持部を支持する支持部材を回動自在にシャンプーボールの首受け部に取付けたことにより、首後ろ部の位置関係における個人差を吸収して頸部を圧迫したり痛みを与えたりすることのないシャンプーボールに取付けられる頭部支持装置を提供せんとするにある。
【課題を解決するための手段】
【０００６】
本発明のシャンプーボールに取付けられる頭部支持装置は前記した目的を達成せんとするもので、請求項１の手段は、被洗髪者の首後ろ部を受ける頸部支持部を、理美容用のシャンプーボールにおける首受け部に回動自在に取付けたものである。
【０００７】
請求項２の手段は、前記した請求項１において、前記頸部支持部に被洗髪者の後頭部を受ける頭部支持部が一体的に形成されているものである。
【０００８】
請求項３の手段は、前記した請求項１において、前記頭部支持部は後頭部を左右２か所で支持するように一対で構成されているものである。
【０００９】
請求項４の手段は、前記した請求項３において、少なくとも前記頭部支持部には後頭部を弾性的に支持するために、ジェルや発泡材等のクッション材で包含されていることを特徴とする。
【発明の効果】
【００１０】
本発明は前記したように、被洗髪者の首後ろ部を受ける頸部支持部を有する頭部支持部材を、理美容用のシャンプーボールにおける首受け部に回動自在に取付けたので、頸部支持部が被洗髪者の頸部を身長に合わせて回動することから、被洗髪者の頸部が圧迫されて苦痛を与えることがない。
【００１１】
また、頭部支持部材における頸部支持部に被洗髪者の後頭部を受ける頭部支持部が一体的に形成されているので、頸部と後頭部の両方が同時に支持されることから被洗髪者の頭部を安定した状態で支持され、かつ、頸部と後頭部の位置関係における個人差を吸収して頸部を圧迫したり痛みを与えたりすることがない。
【００１２】
さらに、頭部支持部は後頭部を左右２か所で支持するように一対で構成することで、洗髪時にシャワーヘッドや手が後頭部に届き易くなって洗髪作業が簡単となり、かつ、洗髪も綺麗に行うことができる。
【００１３】
また、支持部材の少なくとも前記頭部支持部には後頭部を弾性的に支持するために、ジェルや発泡材等のクッション材で構成することで、被洗髪者の頭部に圧迫感を与えることがなく、かつ、長時間の洗髪にも局部的に痛みを与えることがない等の効果を有するものである。
【発明を実施するための最良の形態】
【００１４】
理美容用のシャンプーボールにおける首受け部に、被洗髪者の頸部を受ける頸部支持部と、後頭部を受ける頭部支持部とを一体的に形成した支持部材を回動自在に取付けたものである。
【実施例１】
【００１５】
次に、本発明のシャンプーボールに取付けられる頭部支持装置の実施例を図面と共に説明する。
図１〜図５は、本発明の頭部支持装置を装備したシャンプーボールを椅子の背凭れ部先端に一体的に取付けた状態を示し、図６〜図８は本発明の頭部支持装置を示している。
【００１６】
図１〜図５において、１は床面に設置される基台、２はベッド状の椅子、３は前記基台１に一端が回動自在に軸支され、他端が前記椅子２の下部に回動自在に軸支され、椅子２を上下方向に平行移動させるための昇降手段である。この昇降手段３は図４、図５に示すように、一端が基台１から起立された起立板３１に軸支され、他端が椅子２より垂下された垂下板２１に軸支された平行リンク３２と、一端が基台１に軸支され、他端が前記平行リンク３２の一つに軸支された油圧シリンダ３３と、該油圧シリンダ３３および平行リンク３２を覆う覆い板３４とから構成されている。
【００１７】
前記椅子２はベッド状に形成され、かつ、長手方向の一辺には椅子への乗り降りを容易にするための凹み部２２が形成されると共に、該凹み部２２と対向する他の片には椅子２に仰臥した状態の被洗髪者が洗髪作業中、あるいは、椅子への乗り降り時に手摺り代わり持つための隆起部２３が形成されている。また、椅子２の形状保持板２４の裏面には中間板２５を介して背凭れ部２７の先端側に向かって延長板２６が取付けられ、この延長板２６に前記垂下板２１が取付けられている。
【００１８】
４はシャンプーボールにして、前記延長板２６に一端が固定された取付板４１の他端に固定されている。シャンプーボール４の裏面側から前記椅子２の裏面側を覆う目隠し板４２内には、シャンプーボール４の排水口４３よりの排水を行うための排水管４４およびシャワーヘッド４５に温水を供給するための温水管４６が挿通され、かつ、昇降手段３の覆い板３４内を介して図示しない床下面に配管されている排水パイプと温水パイプに接続されている。
【００１９】
なお、４７は水栓４８とシャワーヘッド４５とを接続するホースである。
また、前記したシャンプーボール４には所望温度の温水が水栓４８に供給される場合について説明したが、床下に比較的高温の湯と水の２本のパイプを配管し、シャンプーボール４に混合栓を取付け、この混合栓から所望の温水をシャワーヘッド４５に供給するようにしてもよい。
【００２０】
５は図６〜図８において詳細に示す頭部支持装置にして、前記したシャンプーボール４の凹状の切欠部４９に回動自在に軸支されている。頭部支持装置５は、側面Ｌ字状に形成された頸部支持部５１と頭部支持部５２とからなる支持部材５３と、前記シャンプーボール２の切欠部４９に固定され、前記支持部材５３を回動自在に軸支する支持金具５４とから構成されている。
【００２１】
前記頸部支持部５１は上面が湾曲部となっており被洗髪者の首後ろ部を支持するのに適した形状となっている。また、湾曲部５１にはジェルや発泡材等を革や合成樹脂等のシートで覆ったクッション材５１ａが取付けられている。また、頭部支持部５２は前記頸部支持部５１から２本のアームが突出し、頭部を２か所で支持する形状となっており、該アームの上面にもジェルや発泡材等を革や合成樹脂等のシートで覆ったクッション材５２ａが取付けられている。前記頸部支持部５１の湾曲最下部と頭部支持部５２の上面とは、頸部支持部５１が垂直状態にある時に高さが同じか、あるいは、頭部支持部５２が僅かに下方に位置するように構成されている。
【００２２】
そして、このように構成した支持部材５３は切欠部４９に固定された支持金具５４の起立部５４ａに挿通される軸を支持部材５３に形成された軸孔５３ａに挿通することで、支持部材５３は支持金具５４に対して回動自在となる。
【００２３】
なお、図１、図２において、６は昇降手段３の油圧シリンダを制御するためのフットコントローラである。
また、前記した昇降手段３としては、平行リンク３２と油圧シリンダ３３とを組み合わせたものについて説明したが、１本あるいは多段の油圧シリンダによって昇降するようにしてもよい。
【００２４】
次に、前記した構成に基づいて動作を説明する。
被洗髪者を椅子２の凹み部２２側から乗せ、この時、膨出部２３を手摺り代わりにして使用することで椅子２への乗り込み容易となる、その後に仰向けに寝かせ、該被洗髪者の首後ろ部を頭部支持装置５における頸部支持部５１に乗せ、首後ろ部より離れた後頭部を頭部支持部５２に乗せる。この時、被洗髪者の個人差による後頭部と頸部の位置関係に相違があっても、頭部支持装置５は回動自在であることから後頭部と頸部の位置関係が大きな場合には、図７の仮想線で示すように後方（図において時計方向）に回動し、また、前記位置関係が小さい場合には実線に示すように頸部支持部５１が略垂直状態の位置となって、被洗髪者の首を支点として屈曲するのを防止して苦痛を与えることがない。
【００２５】
そして、被洗髪者の頭部が安定した状態において、洗髪者が立って洗髪を行う、あるいは、座って洗髪を行う何れの場合であっても、フットコントローラ６を踏み込んで洗髪に適した位置まで椅子２を上昇させ、洗髪作業を行う。洗髪が終了したなら、フットコントローラ６を踏み込んで椅子を下降させた後、被洗髪者を凹み部２２側から下ろすことで洗髪作業は終了する。なお、椅子２には隆起部２３が形成されていることにより、手摺り代わりに使用することで椅子２への乗り込み容易となる。
【実施例２】
【００２６】
次に、第２の実施例を図９、図１０と共に説明する。
この実施例は、前記した実施例がベッド状の椅子であるのに対して、シャンプーボール４が取付けられた椅子２の形状を長手方向の足側（図において左方向）を短く形成して補助椅子部材２′とし、該補助椅子部材２′に被洗髪者を乗せる椅子７を取付けたものである。
【００２７】
この椅子７は、椅子１に対して座部基板７１ａを介して座部７１が固定されている。そして、座部基板７１ａの先端には前垂れ７２がアーム７２ａを介して揺動自在に軸支され、また、前記座部基板７１ａの後端側には背凭れ７３がアーム７３ａを介して起伏自在に軸支されている。また、座部７１の裏面側には油圧シリンダ７４の一端が軸支され、他端は背凭れ７３から延長されたアーム７３ｂに軸支されている。また、アーム７３ｂと前垂れ７２の裏面に取付けられているアーム７２ｂとの間にリンク７５が軸支されている。
【００２８】
なお、基台１、昇降手段３、シャンプーボール４および頭部支持装置５の構成は、前記した第１の実施例と同一構造なので説明は省略する。
【００２９】
この実施例においては、図９に示すように油圧シリンダ７４のピストンを突出させて前垂れ７２を垂下させ、かつ、背凭れ７３を起立状態となし、この状態において被洗髪者を座部７１に腰掛けさせる。次いで、油圧シリンダ７４のピストンを収縮させて前垂れ７２および背凭れ７３を水平状態となし（図１０参照）、被洗髪者を仰向けに寝かせて、首後ろ部を頸部支持部５１に後頭部を頭部支持部５２に乗せている。
【００３０】
この状態において、被洗髪者の座高の多少の違いは、頭部支持装置５がシャンプーボール４の首受け部４９に対して回動することから、首に無理な負担をかけることなくフィット感を与えることができる。この頭部を安定した状態で支持した後に、図示しないフットコントローラを踏み込んで洗髪者による洗髪作業が行い易い高さまで補助椅子部材２′を上昇させて洗髪作業を行う。
【００３１】
そして、洗髪作業が終了したならば、油圧シリンダ７４のピストンに油を供給して前垂れ７２を垂下させると共に背凭れ７３を起立させて図９の状態に戻し、被洗髪者を座った状態に戻して洗髪作業は終了する。なお、油圧シリンダ７４の制御もフットコントローラによって行う。
【図面の簡単な説明】
【００３２】
【図１】本発明に係る頭部支持装置を椅子に取付けた状態の斜視図である。
【図２】同上の側面図である。
【図３】同上の平面図である。
【図４】同上のＡ−Ａ線断面図である。
【図５】同上の椅子を上昇させた状態の断面図である。
【図６】シャンプーボールの上面側から見た斜視図である。
【図７】頭部支持装置の部分を断面した拡大断面図である。
【図８】（ａ）は頭部支持装置の側面図、（ｂ）は正面図、（ｃ）は底面図である。
【図９】第２の実施例における椅子を起立した状態の側面図である。
【図１０】同上の椅子を倒した状態の側面図である。
【符号の説明】
【００３３】
２          椅子
３          昇降手段
４          シャンプーボール
４４        排水管
４６        温水管
５          頭部支持装置
５１        頸部支持部
５１ａ      クッション材
５２        頭部支持部
５２ａ      クッション材
【図１】
2006061519.tif 000003
【図２】
2006061519.tif 000004
【図３】
2006061519.tif 000005
【図４】
2006061519.tif 000006
【図５】
2006061519.tif 000007
【図６】
2006061519.tif 000008
【図７】
2006061519.tif 000009
【図８】
2006061519.tif 000010
【図９】
2006061519.tif 000011
【図１０】
2006061519.tif 000012